(57)【要約】【課題】ＬＥＤを発光源とする照明装置で、点灯用電源とＬＥＤとを別個に設け、両者を導線で接続するように構成すると、点消灯スイッチをＬＥＤ側に設ける必要がある。この点消灯スイッチをＬＥＤに対して直列に設けると、点消灯スイッチをオフにした直後に印加されていた電圧が急激に上昇し、電圧が低下する前に点消灯スイッチを再びオンにするとＬＥＤに突入電流が流れ、ＬＥＤの寿命が損なわれる。【解決手段】アノード側に検知抵抗を設け、この検知抵抗と直列になる分圧抵抗を点灯用電源側に設け、点消灯スイッチで検知抵抗を短絡させることにより点消灯スイッチがオンされたことを点灯用電源側で検知できるようにした。【選択図】  図２
2015125961.tif 000002
【特許請求の範囲】
【請求項１】
スイッチング電源を備えた点灯用電源に接続されたＬＥＤを備え、このＬＥＤに通電して発光する点灯状態ではＬＥＤに流れる電流値を一定に制御する定電流制御を行う照明装置において、上記点灯用電源とＬＥＤとを別個に設置し得るように個々に設け、両者を導線で連結するように構成し、ＬＥＤ側にＬＥＤのアノードとカソードとに各々連結された接続端子の他に第３の接続端子を設け、アノード側の接続端子と第３の接続端子との間に検知抵抗を設けると共に、その検知抵抗と並列にオンオフする点消灯スイッチを設け、上記点灯用電源に、上記アノード側の接続端子とカソード側の接続端子と第３の接続端子とに各々接続される３個の接続端子を設け、そのうちの第３の接続端子に接続される接続端子を分圧抵抗を介してグランドに落とし、分圧抵抗の端部の電位から上記点消灯スイッチのオンオフ状態を検知して、この点消灯スイッチがオフの状態ではアノードとカソード間に印加される電圧を順方向降下電圧（Ｖｆ）未満に規制し、点消灯スイッチがオンされると印加される電圧に対する規制を解除して定電流制御を行うことを特徴とする照明装置。
【発明の詳細な説明】
【技術分野】
【０００１】
本発明は、点灯用電源とＬＥＤとを別個に設置し、ＬＥＤ側に点消灯スイッチを設けた照明装置に関する。
【背景技術】
【０００２】
従来より、発光源にＬＥＤを用いた照明装置が多数提案されている。それら照明装置のほとんどはスイッチング電源を備えた点灯用電源にＬＥＤが接続されている（例えば、特許文献１参照）。
【０００３】
ＬＥＤを点灯させる際には、ＬＥＤの両端であるアノードとカソード間に順方向降下電圧（以下、Ｖｆという）以上の電圧を印加する必要がある。印加される電圧がこのＶｆより低いとＬＥＤは発光しないが、Ｖｆ以上の電圧を印加して発光し出すと、その後の明るさはＬＥＤに流れる電流値に比例する。そのため、ＬＥＤに流れる電流値が、予め設定された電流値になるように定電流制御が行われる。
【先行技術文献】
【特許文献】
【０００４】
【特許文献１】特開２０１２−１５０９５５号公報（図１）
【発明の概要】
【発明が解決しようとする課題】
【０００５】
上述のように、ＬＥＤを発光源とする照明装置では、ＬＥＤの他に点灯用電源を必要とする。そのため、照明装置全体の大きさが大きくなり、照明装置を小型化することが困難になる。そこで、点灯用電源とＬＥＤとを別個に設け、点灯用電源は露出しないように格納し、小型化されたＬＥＤ部分を照明したい個所に取り付け、両者を導線で連結することが考えられる。ただし、このような構成を採用すると、点消灯スイッチを点灯用電源側ではなくＬＥＤ側に設ける必要が生じる。その点消灯スイッチをＬＥＤに対して直列に設ければ、点消灯スイッチのオンオフでＬＥＤを点消灯できるが、以下の不具合が生じる。
【０００６】
すなわち、点消灯スイッチがオン状態でＬＥＤが点灯している状態では定電流制御が行われているが、点消灯スイッチをオフにすると電流が流れなくなるため、電流値を増加させようとしてアノードとカソード間に印加されていた電圧が急激に上昇する。そのまま放置すれば電圧は低下するが、電圧が低下する前に再び点消灯スイッチがＯＮにされると、急激に上昇した電圧がそのままアノードとカソード間に印加され、ＬＥＤに大電流が流れる。このように大電流が流れても、すぐに定電流制御されるので電流値は所定の電流値まで減少するが、たとえ一瞬でも大電流がＬＥＤを流れることにより、ＬＥＤが損傷を受け、ＬＥＤの寿命が大幅に短くなる。
【０００７】
そこで本発明は、上記の問題点に鑑み、点灯用電源とＬＥＤとを別個に設け、かつＬＥＤ側に点消灯スイッチを設けても、ＬＥＤの寿命が損なわれることのない照明装置を提供することを課題とする。
【課題を解決するための手段】
【０００８】
上記課題を解決するために本発明による照明装置は、スイッチング電源を備えた点灯用電源に接続されたＬＥＤを備え、このＬＥＤに通電して発光する点灯状態ではＬＥＤに流れる電流値を一定に制御する定電流制御を行う照明装置において、上記点灯用電源とＬＥＤとを別個に設置し得るように個々に設け、両者を導線で連結するように構成し、ＬＥＤ側にＬＥＤのアノードとカソードとに各々連結された接続端子の他に第３の接続端子を設け、アノード側の接続端子と第３の接続端子との間に検知抵抗を設けると共に、その検知抵抗と並列にオンオフする点消灯スイッチを設け、上記点灯用電源に、上記アノード側の接続端子とカソード側の接続端子と第３の接続端子とに各々接続される３個の接続端子を設け、そのうちの第３の接続端子に接続される接続端子を分圧抵抗を介してグランドに落とし、分圧抵抗の端部の電位から上記点消灯スイッチのオンオフ状態を検知して、この点消灯スイッチがオフの状態ではアノードとカソード間に印加される電圧を順方向降下電圧（Ｖｆ）未満に規制し、点消灯スイッチがオンされると印加される電圧に対する規制を解除して定電流制御を行うことを特徴とする。
【０００９】
本発明は、上記第３の接続端子を設け、点消火スイッチのオンオフによって変化する分圧から検知する。また、点消灯スイッチはＬＥＤに対して直列に接続するのではなく、アノード側の接続端子と第３の接続端子との間に設けた検知抵抗に対して並列に接続した。従って、点消灯スイッチをオンにすると検知抵抗が短絡され、分圧された電圧が変化するので、点消灯スイッチのオンオフ状態を検知することができる。また、点消灯スイッチがＬＥＤに対して直列に接続されていないので、点消灯スイッチをオフにしても、電流の消滅による印加電圧の急上昇がなく、そのためＬＥＤに突入電流が流れることもない。
【発明の効果】
【００１０】
以上の説明から明らかなように、本発明は、点灯用電源とＬＥＤとを別個に設け、ＬＥＤ側に点消灯スイッチを設けても、ＬＥＤに突入電流が流れることがなく、そのためＬＥＤが損傷を受けることがないので、ＬＥＤの寿命が損なわれることがない。
【図面の簡単な説明】
【００１１】
【図１】本発明の一実施の形態の構成を示す図
【図２】点灯用電源の構成を示す回路図
【発明を実施するための形態】
【００１２】
図１を参照して、１は本発明による照明装置の一部である点灯用電源である。この点灯用電源は比較的大型になるので、外部から隠れるように吊り戸棚ＨＣ内に設置した。一方、この吊り戸棚ＨＣの底板下面には、照明装置の構成部分であるＬＥＤ部２が取り付けられている。また、このＬＥＤ部２には点消灯スイッチ２１が設けられており、この点消灯スイッチ２１をオンオフ操作することにより、ＬＥＤ部２内のＬＥＤが点消灯する。
【００１３】
上記点灯用電源１には外部の商用電源からの電力を給電するための電灯線１１が接続されている。また、この点灯用電源１とＬＥＤ部２とは３本の導線１２を介して相互に接続されている。
【００１４】
図２を参照して、ＬＥＤ部２内には複数個のＬＥＤ２２が直列に接続されており、アノード側の端部は接続端子２ａに接続されている。また、カソード側の端部は接続端子２ｋに接続されている。そして、本発明ではこれら２個の接続端子２ａ，２ｋの他に第３の接続端子２ｔを設けた。
【００１５】
上記アノード側の接続端子２ａと、この第３の接続端子２ｔとの間に検知抵抗２３を設けた。そして、上記点消灯スイッチ２１は、この検知抵抗２３と並列になるように接続した。従って、点消灯スイッチ２１はＬＥＤ２２に対して直列には接続されていない。
【００１６】
一方、点灯用電源１内には内部の作動を制御するＩＣ１０が設けられている。また上記第３の接続端子２ｔは、直列に接続された２個の分圧抵抗１２，１３に接続されている。従って、点消灯スイッチ２１がオフの状態では検知抵抗２３と分圧抵抗１２，１３は直列に接続されることになり、分圧抵抗１２，１３間の電圧は所定の電圧となる。その状態で点消灯スイッチ２１をオンにすると、検知抵抗２３が短絡されるので、分圧抵抗１２，１３間の電圧は上記の所定の電圧より上昇し、その電圧の変化から点消灯スイッチ２１がオンされたことを検知することができる。
【００１７】
点消灯スイッチ２１がオフの状態ではＩＣ１０は定電圧制御を行い、両接続端子２ａ、２ｋ間に印加される電圧がＶｆ未満となるように電圧を制御する。両接続端子２ａ、２ｋ間の電圧がＶｆ未満であると、ＬＥＤ２２は点灯しない。
【００１８】
次に、点消灯スイッチ２１がオンされると、ＩＣ１０は定電圧制御を中止して定電流制御に切り替える。切り替える前の時点ではＬＥＤ２２は点灯していないので、電流はほとんど流れていない。定電流制御に切り替わると、両接続端子２ａ、２ｋ間に印加される電圧を上げてＬＥＤ２２に流れる電流を増加させる。そして、ＬＥＤ２２に流れる電流値が予め設定した所定の電流値に到達すると、両接続端子２ａ、２ｋに印加している電圧の上昇を止め、その状態を保持する。
【００１９】
消灯する際には、点消灯スイッチ２１をオフにすることにより、ＩＣ１０は定電流制御から上記定電圧制御に戻り、両接続端子２ａ、２ｋ間に印加されている電圧をＶｆ未満の値まで低下させる。その結果、ＬＥＤ２２は消灯する。なお、点消灯スイッチ２１を短時間でオンオフさせても、ＬＥＤ２２に流れる電流値が瞬間的にでも上昇することがないので、ＬＥＤ２２に大電流が流れる状態が発生せず、ＬＥＤ２２の寿命が損なわれることがない。
【００２０】
なお、本発明は上記した形態に限定されるものではなく、本発明の要旨を逸脱しない範囲内において種々の変更を加えてもかまわない。
【符号の説明】
【００２１】
１ 点灯用電源
２ ＬＥＤ部
２ａ 接続端子
２ｋ 接続端子
２ｔ 接続端子
１２ 分圧抵抗
１３ 分圧抵抗
２１ 点消灯スイッチ
２３ 検知抵抗
【図１】
2015125961.tif 000003
【図２】
2015125961.tif 000004